(57)【要約】  ヘッドセットは、ユーザの頭部と接触するように構成されたインタフェースを含む。インタフェースは、ユーザの頭部の側頭筋膜領域に沿った１つ以上の位置と接触するように構成され、ヘッドセットの残りの部分がユーザの頭部から離間するようになっている。【選択図】図３Ａ
2019524249.tif 000002
【特許請求の範囲】
【請求項１】
ヘッドセットであって、
ユーザの頭部と接触するように構成されたインタフェースを備え、前記インタフェースは、前記ユーザの前記頭部の側頭筋膜領域に沿った１つ以上の位置と接触するように構成され、前記ヘッドセットの残りの部分が前記ユーザの前記頭部から離間するようになっていることを特徴とする、ヘッドセット。
【請求項２】
前記インタフェースは、少なくとも１つの装着足部を含み、前記装着足部は、前記ユーザの前記頭部の前記側頭筋膜領域に沿った前記１つ以上の位置と接触するためのものであることを特徴とする、請求項１に記載のヘッドセット。
【請求項３】
前記インタフェースは、複数の装着足部を含み、前記装着足部の各々は、前記ユーザの前記頭部の前記側頭筋膜領域に沿った前記１つ以上の位置のそれぞれ１つと位置合わせされるためのものであることを特徴とする、請求項１に記載のヘッドセット。
【請求項４】
前記複数の装着足部は、少なくとも３つの装着足部を含むことを特徴とする、請求項３に記載のヘッドセット。
【請求項５】
前記インタフェースは、前記ユーザの前記頭部の前記側頭筋膜領域と位置合わせするための単一の連続的パディングを含むことを特徴とする、請求項１に記載のヘッドセット。
【請求項６】
前記単一の連続的パディングは、第１の連続的パディングと、前記第１の連続的パディングを取り囲む第２の連続的パディングとを含む、請求項５に記載のヘッドセット。
【請求項７】
前記第１の連続的パディングの密度は、前記第２の連続的パディングの密度とは異なることを特徴とする、請求項６に記載のヘッドセット。
【請求項８】
前記第１の連続的パディングは、前記側頭筋膜領域と接触するように構成され、前記第２の連続的パディングは、前記側頭筋膜領域を取り囲む領域と接触するように構成されることを特徴とする、請求項６に記載のヘッドセット。
【請求項９】
前記第１の連続的パディング及び前記第２の連続的パディングは、前記側頭筋膜領域と接触してそこに限定されるように構成される、請求項６に記載のヘッドセット。
【請求項１０】
前記インタフェースは、膨張式ブラダを含むことを特徴とする、請求項１に記載のヘッドセット。
【請求項１１】
前記ヘッドセットを前記ユーザの前記頭部の前記側頭筋膜領域に対して締め付ける及び緩めるように構成された調整可能な上部ストラップをさらに備えることを特徴とする、請求項１に記載のヘッドセット。
【請求項１２】
前記調整可能な上部ストラップに取り付けられたパッドをさらに備え、前記パッドは、前記ユーザの前記頭部の帽状腱膜領域と接触するように構成されることを特徴とする、請求項１１に記載のヘッドセット。
【請求項１３】
前記ヘッドセットを前記ユーザの前記頭部の前記側頭筋膜領域に対して締め付ける及び緩めるように構成された調整可能な後方ストラップをさらに備えることを特徴とする、請求項１に記載のヘッドセット。
【請求項１４】
前記インタフェースに接続されたプローブマウントと、
前記プローブマウント上に装着され、前記ユーザの前記頭部に沿って移動するように構成されたプローブと、
をさらに備えることを特徴とする、請求項１に記載のヘッドセット。
【請求項１５】
前記プローブは、前記ユーザの前記頭部に沿って手動で位置決めされるように構成されることを特徴とする、請求項１４に記載のヘッドセット。
【請求項１６】
前記プローブマウントと前記プローブとの間に接続された、前記プローブを前記ユーザの前記頭部に沿って自動的に位置決めするためのモータ組立体をさらに備えることを特徴とする、請求項１４に記載のヘッドセット。
【請求項１７】
前記プローブは、経頭蓋ドプラ（ＴＣＤ）プローブを含むことを特徴とする、請求項１４に記載のヘッドセット。
【請求項１８】
前記ヘッドセットに取り付けられた眼用デバイスをさらに備え、前記眼用デバイスは、前記ユーザの１つ以上の目と位置合わせされてこれを覆うように構成されることを特徴とする、請求項１に記載のヘッドセット。
【請求項１９】
前記眼用デバイスは、仮想現実デバイスを含むことを特徴とする、請求項１８に記載のヘッドセット。
【請求項２０】
ヘッドセットを製造する方法であって、
ユーザの頭部と接触するように構成されたインタフェースを提供することを含み、前記インタフェースは、前記ユーザの前記頭部の側頭筋膜領域に沿った１つ以上の位置と接触するように構成され、前記ヘッドセットの残りの部分が前記ユーザの前記頭部から離間するようになっていることを特徴とする、方法。
【発明の詳細な説明】
【技術分野】
【０００１】
関連特許出願の相互参照
本出願は、引用によりその内容が全体として本明細書に組み入れられる、２０１６年７月１９日出願の米国仮特許出願第６２／３６４，１２０号に対する利益及び優先権を主張する。
【背景技術】
【０００２】
ユーザの頭部に対して安定にとどまることによってその性能が最適化される、ヘッドセットを利用するデバイス（例えば経頭蓋ドプラ・デバイス）に関して、デバイスの動作中のデバイスの位置合わせ及び動きが懸念事項であり得る。例えば、デバイスに接続されたヘッドセットがヘッドセットのユーザの筋肉の運動によって（例えば、頭部に位置する筋肉によって）乱されると、デバイスの位置合わせがずれてしまうことがあり、その結果、デバイスによる誤った又は不適切な読取り又は性能がもたらされることになる。それゆえ、デバイスは、ヘッドセットを装着しているユーザによる筋肉の運動によって乱されることなく、動作の間、ユーザの頭部に対して最適な位置に固定されたままであることが望ましい。
【発明の概要】
【０００３】
種々の実施形態によれば、ヘッドセットは、ユーザの頭部と接触するように構成されたインタフェースを含む。インタフェースは、ユーザの頭部の側頭筋膜領域に沿った１つ以上の位置と接触するように構成され、ヘッドセットの残りの部分がユーザの頭部から離間するようになっている。
【０００４】
いくつかの実施形態において、インタフェースは、ユーザの頭部の側頭筋膜領域に沿った１つ以上の位置と接触するための少なくとも１つの装着足部を含む。
【０００５】
いくつかの実施形態において、インタフェースは、複数の離散的な装着足部を含み、各装着足部は、ユーザの頭部の側頭筋膜領域に沿った１つ以上の位置のそれぞれ１つと接触するためのものである。
【０００６】
いくつかの実施形態において、複数の装着足部は、少なくとも３つの装着足部を含む。
【０００７】
いくつかの実施形態において、インタフェースは、ユーザの頭部の側頭筋膜領域と位置合わせするための単一の連続的パディングを含む。
【０００８】
いくつかの実施形態において、単一の連続的パディングは、第１の連続的パディングと、第１の連続的パディングを取り囲む第２の連続的パディングとを含む。
【０００９】
いくつかの実施形態において、第１の連続的パディングの密度は、第２の連続的パディングの密度とは異なる。
【００１０】
いくつかの実施形態において、第１の連続的パディングは、側頭筋膜領域と接触するように構成され、第２の連続的パディングは、側頭筋膜領域を取り囲む領域と接触するように構成される。
【００１１】
いくつかの実施形態において、第１の連続的パディング及び第２の連続的パディングは、側頭筋膜領域と接触してそこに限定されるように構成される。
【００１２】
いくつかの実施形態において、インタフェースは、膨張式ブラダを含む。
【００１３】
いくつかの実施形態において、ヘッドセットは、ヘッドセットをユーザの頭部の側頭筋膜領域に対して締め付ける及び緩めるように構成された調整可能な上部ストラップをさらに含む。
【００１４】
いくつかの実施形態において、ヘッドセットは、調整可能な上部ストラップに取り付けられたパッドをさらに含み、パッドは、ユーザの頭部の帽状腱膜領域と接触するように構成される。
【００１５】
いくつかの実施形態において、ヘッドセットは、ヘッドセットをユーザの頭部の側頭筋膜領域に対して締め付ける及び緩めるように構成された調整可能な後方ストラップをさらに含む。
【００１６】
いくつかの実施形態において、ヘッドセットは、インタフェースに接続されたプローブマウントと、プローブマウント上に装着されたプローブとをさらに含み、プローブマウントは、プローブマウント上に装着されたプローブを支持して、プローブがユーザの頭部に沿ってパン（ｐａｎ）及びチルト（ｔｉｌｔ）するように構成されるようになっている。
【００１７】
いくつかの実施形態において、プローブは、ユーザの頭部に沿って手動でパン及びチルトするように構成される。
【００１８】
いくつかの実施形態において、ヘッドセットは、プローブマウントとプローブとの間に接続された、プローブをユーザの頭部に沿って自動的にパン及びチルトするためのモータ組立体をさらに含む。
【００１９】
いくつかの実施形態において、プローブは、経頭蓋ドプラ（ＴＣＤ）プローブを含む。
【００２０】
いくつかの実施形態において、ヘッドセットは、ヘッドセットに取り付けられた眼用デバイスをさらに含み、眼用デバイスは、ユーザの１つ以上の目と位置合わせされてこれを覆うように構成される。
【００２１】
いくつかの実施形態において、眼用デバイスは、仮想現実ヘッドセットを含む。
【００２２】
種々の実施形態によれば、ヘッドセットを製造する方法は、ユーザの頭部と接触するように構成されたインタフェースを提供することを含み、インタフェースは、ユーザの頭部の側頭筋膜領域に沿った１つ以上の位置と接触するように構成され、ヘッドセットの残りの部分がユーザの頭部から離間するようになっている。
【００２３】
本発明の特徴、態様、及び利点は、以下の説明と、以下で簡単に説明する図面に示される付随する例示的な実施形態とから明らかになるであろう。
【図面の簡単な説明】
【００２４】
【図１Ａ】ヒト頭部の骨格の解剖学的構造を示す側面図である。
【図１Ｂ】ヒト頭部の筋肉の解剖学的構造を示す側面図である。
【図２】種々の実施形態による多点ヘッドセット２００を示す上面図である。
【図３Ａ】種々の実施形態による多点ヘッドセットの透視側面図である。
【図３Ｂ】種々の実施形態による図３Ａに示す多点ヘッドセットの透視斜視図である。
【図３Ｃ】種々の実施形態による図３Ａに示す多点ヘッドセットの不透明斜視図である。
【図３Ｄ】種々の実施形態による図３Ａに示す多点ヘッドセットの正面図である。
【図３Ｅ】種々の実施形態による眼用デバイスを含む、図３Ａに示す多点ヘッドセットの斜視図である。
【図４Ａ】種々の実施形態によるパッド付ヘッドセットの斜視図である。
【図４Ｂ】種々の実施形態によるパッド付ヘッドセットの斜視図である。
【図５Ａ】種々の実施形態によるパッド付ヘッドセットの背面図である。
【図５Ｂ】種々の実施形態による図５Ａに示すパッド付ヘッドセットの前方斜視図である。
【図５Ｃ】種々の実施形態による図５Ａに示すパッド付ヘッドセットの前方斜視図である。
【図５Ｄ】種々の実施形態による図５Ａに示すパッド付ヘッドセットの透視側面図である。
【図６Ａ】種々の実施形態による調整可能ヘッドセットの後方斜視図である。
【図６Ｂ】種々の実施形態による図６Ａに示す調整可能ヘッドセットの前方斜視図である。
【図７】種々の実施形態による調整可能ヘッドセットの後方斜視図である。
【図８Ａ】種々の実施形態による調整可能ヘッドセットの前方斜視図である。
【図８Ｂ】種々の実施形態による図８Ａに示す調整可能ヘッドセットの後方斜視図である。
【図９Ａ】種々の実施形態による剛性ヘッドセットの前方斜視図である。
【図９Ｂ】種々の実施形態による図９Ａに示す剛性ヘッドセットの後方斜視図である。
【図１０】種々の実施形態による装着足部及び取付機構の側面図である。
【図１１】種々の実施形態によるヘッドセットの内側の一部の側面図である。
【図１２】種々の実施形態によるヘッドセット装着システムの斜視図である。
【図１３】種々の実施形態による装着足部の底面図である。
【発明を実施するための形態】
【００２５】
添付の図面に関連して以下で述べる詳細な説明は、種々の構成の説明として意図されたものであり、本明細書で説明される概念を実施することができる唯一の構成を表すことを意図したものではない。詳細な説明は、種々の概念の完全な理解を与えるための具体的な詳細を含む。しかしながら、これらの概念はこれら具体的な詳細がなくても実施できることが当業者には明らかであろう。いくつかの例において、周知の構造及び構成要素は、そのような概念を不明瞭にすることを避けるためにブロック図形態で示される。
【００２６】
以下の種々の実施形態の説明において、添付の図面が参照され、これら図面は、本明細書の一部を形成し、その実施形態を実施することができる特定の実施形態が図中に例示のために示されている。他の実施形態を利用することができることができること、及び、本開示で開示される種々の実施形態の範囲から逸脱することなく構造的な変更を行うことができることを理解されたい。
【００２７】
図１Ａはヒト頭部１００の骨格の解剖学的構造を示す側面図である。図１Ｂは、ヒト頭部１００の筋肉の解剖学的構造を示す側面図である。
【００２８】
図１Ａ〜図１Ｂを参照すると、ヒト頭部１００は、多数の筋肉を含む。しかしながら、プローブを含むヘッドセットが筋肉組織を含む頭部１００の一部にしっかりと保持されているとき、ヘッドセット（従ってプローブ）は、ユーザが筋肉組織を屈曲する又は使用するときにずれることがある。そのため、プローブの安定化及び位置合わせが優先される場合には、ヘッドセットを頭部の筋肉部分に付着させること又はヘッドセットを頭部全体のまわりにストラップで取り付けることが望ましくないことがある。それゆえ、いくつかの実施形態において、ヘッドセットに接続されたプローブが動作中に乱されないように、ヘッドセットは、ヒト頭部の最小限の筋肉を含むか又は筋肉を含まない部分に付着するように設計される。
【００２９】
例えば、頭部１００は、側頭筋と呼ばれる筋肉区画を含み、これは頭骨の側部から下顎の後ろに走る扇形の筋肉であり、口を閉じること及び咀嚼に関与する。側頭筋領域のまわりに、頭部１００は、側頭筋膜１０２と呼ばれる周囲を縁取る環状の区画を含む（図１Ｂに、側頭筋領域を取り囲んで示されている）。側頭筋膜１０２は、最小限の筋肉を有するか又は筋肉を有さない領域であり、ユーザの皮膚及び骨のみを含み得る。側頭筋膜１０２は、骨及び皮膚のみを含み、前頭骨の頬骨突起から始まり、頭頂骨の上側頭線及び下側頭線に沿って続き、さらに側頭骨の乳突部（乳様突起の上方）上の耳の後ろをまわって続く。
【００３０】
いくつかの実施形態によれば、ヘッドセットは、ユーザによる筋肉の活動及び屈曲がヘッドセットに取り付けられたプローブの位置決めを乱さないように、ユーザの側頭筋膜１０２にしっかりと保持される。開示されるヘッドセットに取り付けるのに適したプローブの例は、その開示が引用により本明細書に組み入れられる米国特許出願番号第１５／１８７，３９７号及び米国特許出願番号第１５／３９９，７３５号において提示されている。側頭筋膜１０２は最小限の筋肉組織を含むか又は筋肉組織を含まないので、側頭筋膜１０２は、ヘッドセットをユーザの頭部に保持するための適切な位置を提供する。加えて、いくつかの実施形態において、側頭筋膜１０２の領域は、主として骨性構造（例えば図１Ａに示す上側頭線と下側頭線との間）なので、この領域に固定されたヘッドセットは、軟組織及び筋肉よりもむしろ骨に圧力をかけるのでユーザに快適性の向上をもたらす。
【００３１】
加えて、いくつかの実施形態において、ヘッドセットは、頭蓋を覆って延びる堅い線維帯である帽状腱膜にしっかりと固定することできる。帽状腱膜もまた、動作中のヘッドセット及びプローブの動きを最小限にするのに適した安定な位置を提供する。いくつかの実施形態において、ヘッドセットの調整は、圧力を帽状腱膜に集中させる（例えば、ユーザの頭骨に向かって下向きのヘッドセットの調整）。いくつかの実施形態において、ヘッドセットは、側頭筋膜にしっかりと保持されることに加えて帽状腱膜にしっかりと保持される。他の実施形態において、ヘッドセットは、側頭筋膜１０２の代わりに帽状腱膜にしっかりと保持される。さらに他の実施形態において、ヘッドセットは側頭筋膜にしっかりと保持されるが、帽状腱膜には保持されない。さらなる実施形態において、ヘッドセットの後方ストラップが含まれ、後方ストラップは、後頭骨上の外後頭隆起に触れることなくこれを辿るか又はこれに接触する。
【００３２】
従って、種々の実施形態において、ヘッドセットは、動作中にヘッドセットをずらす可能性がある頭部の筋肉部分を避けるようにして、ユーザの頭部にしっかりと保持されるように構成される。例えば、いくつかの実施形態において、ヘッドセットは、限定されないが、側頭筋（側頭窩）、眼輪筋、前頭筋、後頭筋、顔面筋、及び頸筋（例えば、咬筋、胸鎖乳突筋、僧帽筋、及び頭）といったユーザの筋肉にしっかりと固定されることを避けるように構成される。
【００３３】
図２は、種々の実施形態による多点ヘッドセット２００を示す上面図である。図２を参照すると、多点ヘッドセット２００は、複数の装着足部２０２を含む。多点ヘッドセット２００は、前方フレーム２０４及び後方フレーム２０６をさらに含む。多点ヘッドセット２００は、ユーザの頭部１００の複数の側方フレーム２０８を両側に１つずつ、さらに含む。多点ヘッドセット２００は、１つ以上の上部ストラップ２１０をさらに含む。
【００３４】
いくつかの実施形態において、複数の装着足部２０２は、装着足部２０２の各々をユーザの頭部１００のトポグラフィに対して個別に調整することを可能にするスイベル構造に取り付けられた、パッドである。他の実施形態において、装着足部２０２は、限定されないが、ボール・アンド・ソケット式コネクタ、スライド・イン・スロット、回転式デバイス、テレスコープ機構のような、調整機能を可能にする異なるタイプのコネクタに取り付けられる。いくつかの実施形態において、装着足部２０２は、一般に、装着足部２０２が上述のような最小限の筋肉を有するか又は筋肉有さないユーザの頭部の領域にしっかりと保持されることができるように、ヘッドセット２００に沿って位置決めされる。本明細書で説明されるように、ユーザの頭部１００と接触するように構成されたヘッドセットの部分をインタフェースと呼ぶことがある。
【００３５】
いくつかの実施形態において、装着足部２０２は、種々の技術又は材料を用いて構築することができる装着パッドである。例えば、装着足部２０２は、連続気泡フォーム又は独立気泡フォーム、セルフスキニング（ｓｅｌｆ−ｓｋｉｎｎｉｎｇ）フォーム（例えば、ラテックス、ウレタン等）、固体シリコーン、複数材料のラミネート、大型連続気泡エラストマーばね構造、剛性支持体上にオーバーモールドされた構造、キャストオーバー調整可能支持体（ｃａｓｔ−ｏｖｅｒ  ａｄｊｕｓｔａｂｌｅ  ｓｕｐｐｏｒｔ）、気室付きで構築されたもの、回転成形品、射出成形品、複数のデュロメータ硬さ又は密度の材料で共成形されたもの、などであり得る。
【００３６】
いくつかの実施形態において、装着足部２０２は、ユーザの頭部１００の輪郭に対応するように設計された形状を有する。例えば、装着足部２０２は、ヘッドセット２００を頭部１００に固定するのに適したサイズ、例えば、限定されないが、約１５ミリメートル（ｍｍ）から約６０ｍｍまでの直径範囲を有することができる。他の実施形態において、装着足部２０２は、直径約１５ｍｍから、約１５ｍｍ掛ける約２０ｍｍから、約１５ｍｍ掛ける２４０ｍｍまで、約１００ｍｍ掛ける約２４０ｍｍまでの範囲の長円弧形までの範囲のサイズを有し得る。さらなる実施形態において、装着足部２０２の各々は、ヘッドセット２００を頭部１００に固定するのに適した、限定されないが、凹面形、正方形、円形、不定形などの形状を有する。いくつかの実施形態において、装着足部２０２は、頭部１００と接触して押し付けるための成形可能なパディングを有する接触機構を含む。
【００３７】
いくつかの実施形態において、前方フレーム２０４、後方フレーム２０６、及び側方フレーム２０８は、剛性であり、多点ヘッドセット２００のフレームワーク全体の一部である。いくつかの実施形態において、前方フレーム２０４、後方フレーム２０６、及び側方フレーム２０８は、いずれかの適切な剛性材料、例えば、限定されないが、硬質プラスチック、金属、アルミニウム、鋼、チタン、マグネシウム、種々の合金、剛性プラスチック、複合材、炭素繊維、ファイバーグラス、膨張フォーム、圧縮成形フォーム、ステレオリソグラフィ（ＳＬＡ）又は熱溶解積層法（ＦＤＭ：Ｆｕｓｅｄ  Ｄｅｐｏｓｉｔｉｏｎ  Ｍｏｄｅｌｉｎｇ）製材料、反応射出成形（ＲＩＭ：Ｒｅａｃｔｉｏｎ  Ｉｎｊｅｃｔｉｏｎ  Ｍｏｌｄｉｎｇ）モールディング、アクリロニトリル・ブタジエン・スチレン（ＡＢＳ）、熱可塑性オレフィン（ＴＰＯ）、ナイロン、ポリ塩化ビニル（ＰＶＣ）、繊維強化樹脂などから作られる。
【００３８】
いくつかの実施形態において、前方フレーム２０４、後方フレーム２０６、及び側方フレーム２０８は、１つの一体化された連続フレームを含む。他の実施形態において、前方フレーム２０４、後方フレーム２０６、及び側方フレーム２０８は、解体及び接続が可能なピースである。いくつかの実施形態において、ヘッドセット２００は、２つの剛性ピースで作られる（例えば、ヘッドセット２００は、前方フレーム２０４及び後方フレーム２０６に沿った中点で分離する）。いくつかの実施形態において、フレームは、プローブが人の頭骨のまわりで動いて適切な読取り値を得ることができるように、フレームに装着されたプローブを保持するのに十分な剛性を有する。他の実施形態において、フレームは、ユーザの頭部に対して用いられて安定化される、他の医療用又は非医療用デバイスを保持する。
【００３９】
いくつかの実施形態において、上部ストラップ２１０は、２つの側方フレーム２０８を接続するものであり、側方フレーム２０８を内方にユーザの頭部１００に対して締め付けて装着足部２０２がユーザの頭部１００に適切に押し付けられるようにすることによってヘッドセットを調整するように構成される。そのため、いくつかの実施形態において、上部ストラップ２１０は、側方フレーム２０８の中に巻き取られる（ｒｅｅｌ  ｉｎ）ための任意の適切な非剛性又は軟質材料、例えば、限定されないが、弾性繊維、弾性ベルクロ（Ｖｅｌｃｒｏ）（登録商標）／面ファスナ（ｈｏｏｋ  ａｎｄ  ｌｏｏｐ）、ネオプレン、プラスチック製ラチェット、プラスチック製歯車駆動部、剛性アルミニウム又はプラスチック製の隆起ターンバックル（ｒａｉｓｅｄ  ｔｕｒｎｂｕｃｋｌｅ）、圧入調整部付き弾性シリコーン、締め付け用スプール機構を用いたワイヤ封入パッド付ストラップなどから作られる。
【００４０】
図３Ａは、種々の実施形態による多点ヘッドセット３００の透視側面図である。図３Ｂは、種々の実施形態による図３Ａに示す多点ヘッドセット３００の透視斜視図である。図３Ｃは、種々の実施形態による図３Ａに示す多点ヘッドセット３００の不透明斜視図である。図３Ｄは、種々の実施形態による図３Ａに示す多点ヘッドセット３００の正面図である。
【００４１】
いくつかの実施形態において、多点ヘッドセット３００は、複数の装着足部２０２を含む。他の実施形態において、ヘッドセット３００は、ヘッドセット３００をユーザの頭部１００に固定付着するために任意の適切な数の装着足部２０２、例えば、限定しないが、２つの装着足部２０２、３つの装着足部２０２、４つの装着足部２０２又はそれより多くを含む。いくつかの実施形態において、装着足部２０２は、ヘッドセット３００の片側（例えば、左側又は右側）に配置される。他の実施形態において、装着足部２０２は、ヘッドセット３００の両側に配置される。
【００４２】
いくつかの実施形態において、ヘッドセット３００は、３つの分離した装着足部２０２を含み、装着足部２０２の各々は、ヘッドセット３００のフレームに沿って互いに分離される。いくつかの実施形態において、最前方の装着足部（例えば、ヘッドセット３００を装着したときのユーザの額に最も近い装着足部）と最後方の装着足部（例えば、ヘッドセット３００を装着したときのユーザの耳に最も近い装着足部）との間のｚ軸方向の距離（例えば、ユーザの頭部１００の中に向かう軸に沿った深さ距離）は、約７０ｍｍから約１７０ｍｍの間である。いくつかの実施形態において、最前方の装着足部と最後方の装着足部との間のｙ軸距離（例えば、ヘッドセット３００の上部からヘッドセット３００の下部にわたる軸に沿った距離）は、約６０ｍｍと約１６０ｍｍとの間である。そのため、いくつかの実施形態において、調整機能を提供するために、装着足部２０２の各々を、ｚ軸に沿って約５０ｍｍ、ｙ軸に沿って約５０ｍｍずらすことができる。さらに、いくつかの実施形態において、中央の装着足部２０２は、ｚ軸方向及びｙ軸方向の両方で約５０ｍｍ移動することができ、中央の装着足部２０２が移動することができる最大ｙ軸距離は、最前方の装着足部２０２の場合と同じである。いくつかの実施形態において、装着足部２０２の１つ以上（例えば各々）は、ピボット運動及び／又は旋回（ｓｗｉｖｅｌ）するように構成され、装着足部２０２の表面がユーザの頭部１００と適正にインタフェースする（例えば、装着足部２０２がユーザの頭部１００の表面に沿って着座する）ことができるようになっている。いくつかの実施形態において、ヘッドセット３００はまた、ユーザの耳がヘッドセット３００の外部に露出することを可能にする空間を定める。この空間は、耳の換気を可能にし、ヘッドセット３００からの耳の保護を提供する。
【００４３】
いくつかの実施形態において、ヘッドセット３００は、ユーザの頭部１００に対して使用するための医療用デバイス（例えば、眼監視システム、呼吸装置、神経活動監視用デバイス、外科用デバイス、放射性トレース監視用デバイス、又はデバイス自体がユーザの頭部に対して位置的に乱されないときに最適化される他のいずれかのデバイス）と共に用いられる。他の実施形態において、ヘッドセット３００は、ユーザの頭部１００に対して使用するための非医療用デバイス（例えば、仮想現実アイピース）と共に用いられる。
【００４４】
ヘッドセット３００、いくつかの実施形態においては多点ヘッドセット３００に対して用いられる医療用デバイスの一例は、複数の装着足部２０２を取り付ける連続式フレームを含む。多点ヘッドセット３００は、ヘッドセット３００のフレームに取り付けられたプローブマウント３０２をさらに含む。いくつかの実施形態において、プローブマウント３０２は、ヘッドセットのフレームの屈曲による影響を受けない超剛性材料で作られる。例えば、プローブマウント３０２は、いずれかの適切な剛性材料、例えば、限定されないが、金属、硬質プラスチック、金属類、アルミニウム、鋼、チタン、マグネシウム、種々の合金、剛性プラスチック、複合材、炭素繊維、ファイバーグラス、膨張フォーム、圧縮成形フォーム、ＳＬＡ又はＦＤＭ製材料、ＲＩＭモールディング、ＡＢＳ、ＴＰＯ、ナイロン、ＰＶＣ、繊維強化樹脂などから作ることができる。いくつかの実施形態において、プローブマウント３０２の一部は、可撓性、圧縮性、又は弾性の材料（例えば、プラスチック、樹脂など）から作られる。いくつかの実施形態において、ヘッドセット３００は、上部ストラップ２１０（図示せず）を含む。
【００４５】
いくつかの実施形態において、プローブマウント３０２は、プローブに接続してこれを制御するように構成される。例えば、プローブマウント３０２は、プローブを頭部１００の表面に沿って並進させるように、及び、プローブを頭部１００に近づく方向又は遠ざかる方向に動かすように構成される。いくつかの実施形態において、プローブの第１の端部は、プローブマウント３０２おいてコントローラ、例えば、限定されないが、プローブを制御する（例えば、プローブのｚ軸方向の圧力、法線方向の位置合わせ（ｎｏｒｍａｌ  ａｌｉｇｎｍｅｎｔ）などを制御する）のためのモータ組立体などとインタフェースする。
【００４６】
いくつかの実施形態において、プローブは、第１の端部と、第１の端部の反対側の第２の端部とを含む。いくつかの実施形態において、第１の端部は、走査表面（例えば頭部１００）に対して調整されるように又は走査表面と接触するように構成された凹面を含む。凹面は、生成されたエネルギーを走査表面に向かって集中させるための特定のピッチで構成される。いくつかの実施形態において、ヘッドセット３００は、経頭蓋ドプラ（ＴＣＤ：Ｔｒａｎｓｃｒａｎｉａｌ  Ｄｏｐｐｌｅｒ）装置であり、プローブの第１の端部は、ヒト頭部１００（例えばヒト頭部の側部）に対して調整されるように、又はヒト頭部１００と接触してこれに沿って位置合わせされるように構成され、プローブの第１の端部は、第１の端部から超音波を放出してヒト頭部１００内部に（例えば脳に向かって）方向づけるように構成される。他の実施形態において、プローブは、動作中に他のタイプの波、例えば、限定されないが、赤外波、ｘ線などを放出するように構成される。
【００４７】
いくつかの実施形態において、プローブの第２の端部は、プローブマウント３０２に結合する。いくつかの実施形態において、プローブの第２の端部は、プローブの本体の一部に沿ってねじ切りされた区画を含み、第２の端部は、ねじ山を介して（例えば、プローブマウント３０２内にねじ込まれることによって）プローブマウント３０２内に固定されるように構成される。他の実施形態において、プローブは、他のいずれかの適切な接続手段、例えば、限定されないが、溶接、接着剤、１つ以上のフック及びラッチ、１つ以上の分離したねじ、圧入などによって、プローブマウント３０２に固定される。
【００４８】
他の実施形態において、プローブは、モータ組立体を伴わずにヘッドセット３００に取り付けられ、例えば、プローブは、ヘッドセット３００がユーザの頭部１００に位置決めされている間、オペレータによって手動で操作されるように構成される。例えば、ヘッドセット３００をユーザの頭部１００の側頭筋膜に付着させることができ、オペレータは、プローブが作動している間、手動でプローブを移動させて配向させることができる。従って、ヘッドセット３００に取り付けられたプローブは、ヘッドセット３００がユーザの側頭筋膜領域に付着しているのでユーザの筋肉の運動による影響を受けず、それによりプローブのオペレータによる性能を最適化する。
【００４９】
いくつかの実施形態において、プローブは、ユーザの頭部１００の側頭窓３０４と位置合わせされ、これと接触する。側頭窓３０４は、頭骨が十分に薄く、脳の特性（例えば脳血流速度）の監視を可能にするために音響エネルギー（例えば超音波）が浸透することを可能にする、ユーザの頭部１００の領域を含む。側頭窓３０４は正方形で描かれているが、側頭窓３０４は、サイズ、形、及び位置が異なり得る（例えば、特に個人ごとに）。
【００５０】
本明細書で説明されるヘッドセットと共に用いることができるプローブシステムに関するさらなる開示は、引用によりその全体が本明細書に組み入れられる２０１７年１月５日に出願されたＲＯＢＯＴＩＣ  ＳＹＳＴＥＭＳ  ＦＯＲ  ＣＯＮＴＲＯＬ  ＯＦ  ＡＮ  ＵＬＴＲＡＳＯＮＩＣ  ＰＲＯＢＥと題する非仮特許出願番号１５／３９９，６４８号に見いだすことができる。
【００５１】
図３Ｅは、種々の実施形態による眼用デバイス３５０を含む、図３Ａに示す多点ヘッドセットの斜視図である。図３Ｅを参照すると、いくつかの実施形態において、眼用デバイス３５０は、ユーザの目に対する位置決め及び位置合わせを維持することによって最適化されるデバイスである（例えば、眼用デバイス３５０がユーザの目に対してずれると、眼用デバイス３５０の性能が低下し得る）。ヘッドセット２００に対して用いられる非医療用デバイスの一例として、いくつかの実施形態において、多点ヘッドセット３００は、眼用デバイス３５０と関連して用いることができる。いくつかの実施形態において、眼用デバイス３５０は、ユーザに仮想体験を提供するように構成された仮想現実デバイスであるので、ユーザの目の前方の眼用デバイス３５０の位置決めのなんらかの乱れは、ユーザの仮想体験の劣化を引き起こし得る。
【００５２】
他の実施形態において、眼用デバイス３５０は、ユーザの眼の挙動を追跡するように設計された（例えば、ユーザが神経損傷又は振盪などの病気を患っているかどうかを診断するための）医療用デバイスである。ヘッドセットに対する医療用デバイスの一例は、いくつかの実施形態において、目の運動を追跡して、被験者の神経症状に関する診断情報を提供するために用いられるシステムである。いくつかの実施形態において、医療用システムはまた、ユーザが目で追うための情報も表示する。他の実施形態において、眼用デバイス３５０は、ユーザの視覚を判定し又は調整するための眼の診断又は処置ツールである。一例として、眼用デバイス３５０は、ユーザの不完全な視覚を矯正するためのデバイスである（例えば、レーザによる目の手術）。別の例として、いくつかの実施形態において、眼用デバイス３５０は、ユーザの視覚の処方箋（ｖｉｓｉｏｎ  ｐｒｅｓｃｒｉｐｔｉｏｎ）、１つ以上の目の症状（例えば、緑内障、白内障、高眼圧症、ブドウ膜炎など）などを判定するための眼の診断ツールである。いくつかの実施形態において、眼用デバイス３５０は、両目を同時に又は順番に覆って両目と相互作用するように設計される。他の実施形態において、眼用デバイス３５０は、片目を覆って片目と相互作用する（例えば、その間、他方の目が覆われないままである）ように設計される。いくつかの実施形態において、ヘッドセット３００はユーザの頭部の側頭筋膜に沿って固定されているので、眼用デバイス３５０は安定してとどまることができ、眼用デバイス３５０の性能が最適化されるように眼用デバイス３５０の動きを最小限にすることができる。眼用デバイス３５０は、本明細書で説明するヘッドセットのうちのいずれかと共に提供することができる。
【００５３】
図４Ａ及び図４Ｂは、種々の実施形態によるパッド付ヘッドセット４００の斜視図である。
【００５４】
図４Ａ及び図４Ｂを参照すると、いくつかの実施形態において、パッド付ヘッドセット４００は、ヘッドセットのフレームの内側に沿って大型の連続的なパディング４０２を含む。パディング４０２は、ユーザの頭部１００の側頭筋膜に位置合わせされるように構成される。いくつかの実施形態において、パディング４０２は、２つの異なるパディング４０２ａ及び４０２ｂを含む、多重密度パディング構造を含む。例えば、いくつかの実施形態において、パディング４０２ａは、パディング４０２ｂより高い密度を有する（例えば、より堅い）。いくつかの実施形態において、パディング４０２ａ及び４０２ｂは、ヘッドセット４００の長さに沿って連続的である。いくつかの実施形態において、パディング４０２ａ又は４０２ｂの一方は、ヘッドセット４００の長さに沿って連続的であり、パディング４０２ａ又は４０２ｂのもう一方は、ヘッドセット４００の長さに沿って１つ以上の位置において解体される（例えば、１つ以上の分離した区画を有する）。いくつかの実施形態において、パディング４０２ａ及び４０２ｂの両方が、ヘッドセット４００の長さに沿った１つ以上の位置において解体される。
【００５５】
いくつかの実施形態において、多重密度パディングは、ユーザの頭部１００に固定されたときのヘッドセット４００の位置及び安定性に対して頭部の筋肉の運動が与える影響が無視できるものとなることを可能にする。例えば、フォームの基部層又は軟質層は、完全に圧縮されていないときには容易に屈曲し、軟質フォームの接触面は筋肉に沿って動き、軟質フォームの中間区画は少ししか動かず、フォームが上部区画まで屈曲するときまでには運動が散逸する。上記のデュロメータ硬さがより高い、より剛直なフォームは、頭部１００からの付加的な高さ、軟質フォーム装着のためのプラットフォーム、及び圧縮安定性を提供する。いくつかの実施形態において、より硬質のフォームのパディング４０２ａは、約１ポンド毎平方インチ（ｐｓｉ）から約６０ｐｓｉまでの範囲内の堅さを有する。いくつかの実施形態において、より軟質のフォームのパディング４０２ｂは、約０．１ｐｓｉから約１０ｐｓｉまでの範囲内の堅さを有する。パディング４０２ａ及び４０２ｂの各々のｐｓｉ等級は、パディング４０２ａ、４０２ｂの形状及び構造に依存する。
【００５６】
さらなる実施形態において、パディング４０２ａ、４０２ｂは、パディング４０２ａ、４０２ｂの堅さに影響を与える、穴、ハニカム、中空ボイドなどを有する圧縮可能な又は弾性の構造（例えば、ゴム、ウレタン、シリコーンなど）を有するように構築される。いくつかの実施形態において、密度が高い方のパディング４０２ａは、頭部１００の側頭筋膜構造に位置合わせされる。いくつかの実施形態において、パディング４０２ａは、頭部１００の側頭筋膜構造に位置合わせされ、一方、パディング４０２ｂは、頭部１００の側頭筋膜構造を取り囲む領域に（例えば、頭部１００の側頭筋膜構造の片側又は頭部１００の側頭筋膜構造の両側に）位置合わせされる。他の実施形態において、パディング４０２ａ及びパディング４０２ｂの両方が、頭部１００の側頭筋膜構造に位置合わせされる（例えば、パディング４０２ａ及びパディング４０２ｂは、頭部１００の側頭筋膜構造を越えて延びないように構成される）。
【００５７】
いくつかの実施形態において、パディング４０２は、膨張して頭部１００の輪郭に適合するためのメモリを有する。いくつかの実施形態において、パディング４０２のフォームは圧縮され、ヘッドセット４００がユーザの頭部１００に配置された後で膨張し、その結果、フォームが膨張してヘッドセット４００に固定されるようになっている。他の実施形態において、ヘッドセット４００は、パディング４０２の代わりに膨張式ブラダ（ｉｎｆｌａｔａｂｌｅ  ｂｌａｄｄｅｒ）を含む。いくつかの実施形態において、ブラダは、手動で又はポンプで充填される中空の空隙である。いくつかの実施形態において、膨張式ブラダは、メモリを有する内部構造により自己膨張し、内部構造はブラダ内で膨張して、少なくとも容量の９０％まで膨らむ。さらなる実施形態において、膨張は、組み込まれたポンプ又は外部の充填源若しくはポンピング源により補助される。いくつかの実施形態において、膨張式ブラダは、ヘッドセット４００の膨張式パディングをユーザの頭部１００の側頭筋膜に付着させる又は固定するために、空気、ガス、液体、又は他のいずれかの適切な要素で充填される。
【００５８】
いくつかの実施形態において、パッド付ヘッドセット４００は、ヘッドセット４００の上部分の間で頭部１００の上に延びる上部ストラップ２１０を含む。さらなる実施形態において、ユーザの頭部１００上でのヘッドセット４００のさらなる安定化のために、上部ストラップもまたパディング４０２を含み、パディングが帽状腱膜に位置合わせされるようになっている。さらなる実施形態において、上部ストラップに沿ったパディングは、密度が高い方のパディング４０２ａと同じ密度を有する。
【００５９】
いくつかの実施形態において、パディング４０２は、任意の適切な軟質材料、例えば、限定されないが、独立気泡フォーム、連続気泡フォーム、セルフスキニング連続気泡又は独立気泡フォーム、キャスト、発泡、又は押出しシリコーン又はウレタン、圧力を効率的に分散させるように構成されたポリウレタンゲルなどから作られる。
【００６０】
いくつかの実施形態において、パディング４０２を含むヘッドセット４００は、パディング４０２をヘッドセット４００内に付着させるための任意の適切なプロセス、例えば、限定されないが、射出成形、ラミネート、接着剤取付け（例えば、グルーイング又はボンディング）、共成形、共キャスト、注入、スナップ留め、ベルクロ（Ｖｅｌｃｒｏ）（登録商標）締結、面ファスナ締結、摩擦嵌め、とげ（ｂａｒｂ）による取付け、ねじボスの使用などによって製造される。
【００６１】
他の実施形態において、ヘッドセットは、側頭筋膜をばね荷重バッキング（例えば、コイル、エラストマー、格子状ウレタン（ｌａｔｔｉｃｅ  ｕｒｅｔｈａｎｅ）など）に接触させてユーザの頭部１００の輪郭に沿わせるための、表面形成軟質プラスチックを含む。さらに他の実施形態において、ヘッドセットは、側頭筋膜と接触するための多ピースのばね荷重プラスチックを含み、可撓性のためのリビングヒンジ機構をさらに含む。
【００６２】
図５Ａは、種々の実施形態によるパッド付ヘッドセット５００の上部背面図である。図５Ｂ及び図５Ｃは、種々の実施形態による図５Ａに示すパッド付ヘッドセット５００の前方斜視図である。図５Ｄは、種々の実施形態による図５Ａに示すパッド付ヘッドセット５００の側面図である。
【００６３】
図５Ａ〜図５Ｄを参照すると、いくつかの実施形態において、パッド付ヘッドセット５００は、長い不連続なパディング５０２を含み、パディング５０２は、ユーザの頭部１００の側頭筋膜に位置合わせされるように構成された２つの分離した区画５０２ａ及び５０２ｂに分離されている。いくつかの実施形態において、区画５０２ａ及び５０２ｂは、同様の形状、密度、サイズなどを有する。他の実施形態において、区画５０２ａ及び５０２ｂは、異なる形状、密度、サイズなどを有する。他の実施形態において、パッド付ヘッドセット５００は、ヘッドセットのフレームの内側に沿って長い連続的パディングを含む（例えば、２つの分離した区画５０２ａ及び５０２ｂは存在しない）。いくつかの実施形態において、パディング５０２は、不連続であり、２つより多くのパディング５０２の区画（例えば、３以上のパディング５０２の区画）を定めるようになっている。
【００６４】
いくつかの実施形態において、ヘッドセット５００は、頭部１００の側頭筋膜に位置合わせされるように設計されたパディング５０２を含むが、パディング５０２を取り囲むパディングを含まない（例えば、パディング４０２ｂと同様のパディングを含まない）。パディング５０２は、図４Ａ及び図４Ｂに示した高密度のパディング４０２ａと同様のものとすることができる。他の実施形態において、パディング５０２は、パディング４０２ａより高い密度を有する。いくつかの実施形態において、パディング５０２は、約０．１ｐｓｉから約６０ｐｓｉまでの範囲内の堅さを有する。
【００６５】
図６Ａは、種々の実施形態による調整可能ヘッドセット６００の後方斜視図である。図６Ｂは、種々の実施形態による図６Ａに示す調整可能ヘッドセット６００の前方斜視図である。
【００６６】
図６Ａ及び図６Ｂを参照すると、調整可能ヘッドセット６００は、ヘッドセット６００に調整機能を提供するための上部ストラップ６０２及び後方ストラップ６０４を含む。いくつかの実施形態において、ヘッドセット６００は、多点ヘッドセットである。他の実施形態において、ヘッドセット６００は、パッド付ヘッドセットである。いくつかの実施形態において、上部ストラップ６０２及び後方ストラップ６０４は、ユーザの頭部１００に対する固定適合を保証するためにヘッドセット６００のフレームを屈曲する、調整可能ストラップである。上部ストラップ６０２及び後方ストラップ６０４は、調整機能を提供するための任意の適切な軟質材料、例えば、限定されないが、ベルクロ（登録商標）、弾性材料、プラスチックなどから作られる。ヘッドセット６００のフレームは、調整の際に内方及び外方に屈曲するので、ヘッドセットのフレームは、屈曲を可能にする任意の適切な順応性材料、例えば、限定されないが、可撓性プラスチック、ポリエチレン、ウレタン、ポリプロピレン、ＡＢＳ、ナイロン、繊維補強シリコーン、構造性フォームなどから作られる。
【００６７】
図７は、種々の実施形態による調整可能ヘッドセット７００の後方斜視図である。
【００６８】
図７を参照すると、いくつかの実施形態において、調整可能ヘッドセット７００は、調整可能ヘッドセット６００と同様であるが、但し、上部ストラップ７０２及び下部ストラップ７０４の各々がそれぞれのストラップを調整するためのノブ（例えばラチェット）７０６を含む。例えば、ノブ７０６の各々を用いて、ヘッドセット７００を締め付ける（例えばヘッドセット７００のフレームを内方に曲げることによって）又はヘッドセット７００を緩める（例えばヘッドセット７００のフレームが外方に曲がることを許容することによって）ことができる。
【００６９】
図８Ａは、種々の実施形態による調整可能ヘッドセット８００の前方斜視図である。図８Ｂは、種々の実施形態による図８Ａに示す調整可能ヘッドセット８００の後方斜視図である。
【００７０】
図８Ａ及び図８Ｂを参照すると、いくつかの実施形態において、ヘッドセット８００は、上部ストラップ８０２及び後方ストラップ８０４を含み、ヘッドセット７００と同様であるが、但しヘッドセット８００は、調整可能パッド８０６をさらに含む。いくつかの実施形態において、調整可能パッド８０６は、パディング４０２ａ又はパディング４０２ｂと同様である。調整可能パッド８０６は、ヘッドセット８００のさらなる安定性を提供するために、ユーザの頭部１００に（例えば帽状腱膜において）下向きの圧力をかけるように構成される。いくつかの実施形態において、調整可能パッド８０６は、パッド８０６の下向きの圧力を調整するための任意の適切な機構、例えば、限定されないが、ねじ機構、ラチェット機構、テレスコープ機構などを介して調整される。他の実施形態において、パッドは、所定位置に固定保持され、調整可能ではない。
【００７１】
図９Ａは、種々の実施形態による剛性ヘッドセット９００の前方斜視図である。図９Ｂは、種々の実施形態による図９Ａに示す剛性ヘッドセット９００の後方斜視図である。
【００７２】
図９Ａ及び図９Ｂを参照すると、いくつかの実施形態において、ヘッドセット９００は、上部ストラップ９０２、後方ストラップ９０４、及び前方ストラップ９０６を含む。ヘッドセット９００は、第１の剛性ハーフフレーム９００ａ及び第２の剛性ハーフフレーム９００ｂで構成され、ハーフフレーム９００ａ、９００ｂの各々は、ヘッドセット９００の分離した別個の構成要素である。いくつかの実施形態において、剛性ハーフフレーム９００ａ、９００ｂは、硬質プラスチック、金属、アルミニウム、鋼、チタン、マグネシウム、種々の合金、複合材、炭素繊維、ファイバーグラス、膨張フォーム、圧縮成形フォーム、ＳＬＡ又はＦＤＭ製材料、ＲＩＭモールディング、ＡＢＳ、ＴＰＯ、ナイロン、ＰＶＣ、繊維強化樹脂などを含むがこれらに限定されない、任意の適切な半剛性材料から作られる。
【００７３】
いくつかの実施形態において、分離したハーフフレーム９００ａ及び９００ｂは、ユーザの頭部１００のまわりに配置されて固定されるように構成される。そのため、ハーフフレーム９００ａ及び９００ｂは、頭部１００上にある間、上部ストラップ９０２、後方ストラップ９０４、及び前方ストラップ９０６のうちの１つ以上によって一緒に保持され、締め付けられる。ヘッドセット９００がユーザの頭部１００上に配置されている間にストラップ９０２、９０４、及び９０６のうちの１つ以上を締め付けたとき、第１の剛性ハーフフレーム９００ａ及び第２の剛性ハーフフレーム９００ｂは、ヘッドセット９００を頭部１００に固定するためにユーザの頭部１００に向かって内方に屈曲する。
【００７４】
いくつかの実施形態において、上部ストラップ９０２、後方ストラップ９０４、及び前方ストラップ９０６は、剛性ハーフフレーム９００ａ及び９００ｂの中に巻き取られるための任意の適切な非剛性又は軟質材料、例えば、限定されないが、弾性ファブリック、弾性ベルクロ（登録商標）／面ファスナ、ネオプレン、プラスチック製ラチェット、プラスチック製歯車駆動部、剛性アルミニウム又はプラスチック製の隆起ターンバックル、圧入調整部付き弾性シリコーン、締め付け用スプール機構を用いたワイヤ封入パッド付ストラップなどから作られる。さらなる実施形態において、ストラップ９０２、９０４、及び９０６のうちの１つ以上が、ラチェット、歯車、ノブなどを介して調整可能であるように構成される。さらなる実施形態において、手動又は自動プローブ機構の装着構造（例えば、プローブマウント３０２）は、超剛性材料で作られ、プローブ装着構造がユーザの頭部１００にヘッドセット９００を締め付けることから生じる剛性ハーフフレーム９００ａ、９００ｂのいかなる屈曲による影響も受けないようになっている。
【００７５】
いくつかの実施形態において、第１の剛性ハーフフレーム９００ａ及び第２の剛性ハーフフレーム９００ｂは、ヘッドセット９００を頭部１００上に配置して固定するときにユーザの頭部１００と接触するためのいずれかの適切な表面を含むように設計される。このような表面は、複数の装着足部２０２、パディング４０２又は５０２、膨張式ブラダなどを含む。
【００７６】
図１０は、種々の実施形態による装着足部１０００及び取付機構１０５０の側面図である。図１０を参照すると、装着足部１０００は、装着足部２０２と同様であり得る。
いくつかの実施形態において、装着足部１０００及び取付機構１０５０は、ヘッドセット３００に組み込まれる。
【００７７】
いくつかの実施形態において、装着足部１０００は、基部１００１、ワッシャ又はカバー１００２、及びパディング１００３を含む。基部１００１は、カバー１００２及びパディング１００３を受けて安定化させるための構造を提供する。カバー１００２は、パディング１００３を受け、パディング１００３は、ユーザの頭部１００に当接して配置されるように構成される。パディング１００３は、ヘッドセットがユーザの頭部１００に快適に付着することを可能にする。いくつかの実施形態において、装着足部１０００（例えば、パディング１００３）は、ユーザの頭部１００の側頭筋膜領域に押し付けられる。
【００７８】
いくつかの実施形態において、取付機構１０５０は、ボール・アンド・ピボット構造１０５１、シャフト１０５２、ファスナ１０５３、及びナット１０５４を含む。ボール・アンド・ピボット構造１０５１は、基部１００１に取り付けられ、装着足部１０００の自在運動を可能にする。例えば、ボール・アンド・ピボット構造１０５１は、回転（例えば、装着足部１０００の中心軸のまわりでの３６０度回転）及び横方向ピボット運動（例えば、装着足部１０００の中心軸に対して垂直な横軸のまわりでの）を可能にすることができる。いくつかの実施形態において、シャフト１０５２は、ボール・アンド・ピボット構造１０５１に取り付けられており、ボール・アンド・ピボット構造１０５１の自在な可動域を可能にするようになっている。ファスナ１０５３は、シャフト１０５２に接続されて、ナット１０５４の締め付けによりヘッドセットに固定されることを可能にする。ファスナ１０５３は、六角ねじ又はボルトを含むことができる。いくつかの実施形態において、シャフト１０５２は、ファスナ１０５３と対応するようにねじ切りされ、シャフト１０５２とファスナ１０５３との間の固定接続を可能にする。
【００７９】
他の実施形態において、ねじ方法の代わりに又はこれに加えて、スナップのような他の適切な装着方法が利用される。いくつかの実施形態において、装着足部１０００及び取付機構１０５０の１つ以上の要素は、限定されないが、プラスチック又は金属などのような任意の適切な軽量材料から作られる。いくつかの実施形態において、取付機構１０５０の接合部を動かすことの容易さは用途に依存し、小さい力を利用することができる。加えて、接合部は、ユーザの頭部１００上に配置される前にその位置を事前設定して維持することができるように、十分に剛直にすることができる。
【００８０】
図１１は、種々の実施形態によるヘッドセット１１００の内側の一部の側面図である。図１１を参照すると、異なる足部構造１１０２、１１０４、１１０６が示されている。いくつかの実施形態において、異なる足部構造１１０２、１１０４、１１０６は、本明細書で説明されるヘッドセットのいずれかと関連して用いることができる。いくつかの実施形態において、足部構造１１０２、１１０４、１１０６の各々は、ユーザの頭部の側頭筋膜と接触するように構成される。いくつかの実施形態において、異なる足部構造１１０２、１１０４、１１０６は、一緒に（例えば図１１に示すように）実装されることもでき、又は異なる足部構造１１０２、１１０４、１１０６は、択一的に実装される（例えば装着足部２０２のように備える）こともできる。いくつかの実施形態において、異なる足部構造１１０２、１１０４、１１０６の１つ以上が、装着足部２０２として実装される。
【００８１】
いくつかの実施形態において、第１の足部構造１１０２は、ピボット構造を含み、足部構造１１０２が１つ以上の方向にピボット運動するように構成されるようになっている。いくつかの実施形態において、第１の足部構造１１０２は、ユーザの頭部に（例えば、側頭筋膜において）接触して圧力をかけるためのゲルパッドを含む。いくつかの実施形態において、第１の足部構造１１０２は、そのピボット機能を促進するためにボールジョイントを含む。いくつかの実施形態において、第２の足部構造１１０４は、（例えば、ユーザの頭部からかかる圧力に応答して）内方に圧縮され、及び外方に伸張するように構成される。第２の足部構造１１０４は、圧縮及び伸張を促進するためにばねを含み、このばねのばね定数は、第２の足部構造１１０４がユーザの頭部に対して十分な圧力を維持してヘッドセット１１００を安定化させることを可能にするように設定される。いくつかの実施形態において、第３の足部構造１１０６は、内側輪郭を有するパッド付インタフェースを含む。いくつかの実施形態において、異なる足部構造１１０２、１１０４、１１０６の各々のインタフェースは、パッドを含む。パッドは、ユーザの快適性を高めるための任意の適切な軟質材料、例えば、限定されないが、フォーム、ゲルパッド、取外し可能パディング、二重密度パディングなどを含むことができる。
【００８２】
図１２は、種々の実施形態によるヘッドセット装着システム１２００の斜視図である。いくつかの実施形態において、ヘッドセット装着システム１２００は、装着足部１２０２、アーム１２０４、及びストラップ１２０６を含む。装着足部１２０２は、ユーザの快適性を向上させるためのパディングを含む。いくつかの実施形態において、装着足部１２０２は、上述のようなピボット構造であり、隆起部分をさらに有する（例えば、装着足部１２０２の外側リムに沿って）。いくつかの実施形態において、アーム１２０４は、装着足部１２０２に接続し、装着足部１２０２から延びる。アーム１２０４は、装着足部１２０２に接続され、アーム１２０４が装着足部１２０２の中心軸のまわりで（例えばボールジョイント接続を介して）回転するように構成される。いくつかの実施形態において、アーム１２０４は、装着足部１２０２のまわりで少なくとも９０度（例えば装着足部１２０２のまわりで１８０度又は３６０度）回転するように構成される。いくつかの実施形態において、アーム１２０４は、装着足部１２０２から遠ざかる方向に延びるＬ形構造を有する。そのため、いくつかの実施形態において、アーム１２０４の構造は、ヘッドセットをユーザの頭部から所定距離だけ離れたところに装着することを可能にする。加えて、アーム１２０４をヘッドセットに固定するために、ストラップ１２０６がアーム１２０４に接続される。
【００８３】
図１３は、種々の実施形態による装着足部１３００の底面図である。いくつかの実施形態において、装着足部１３００は、上述のような、隆起した足部及びボールジョイントを含むピボット足部構造である。ボールジョイントは、少なくとも１つの軸のまわりでの装着足部１３００の運動を可能にするように構成される。いくつかの実施形態において、接合部を動かすことの容易さは用途に依存し、これは小さい力を利用することもでき、又は装着足部１３００の位置決めをユーザの頭部上に配置される前に事前設定して維持することができるように十分に剛直にすることもできる。いくつかの実施形態において、装着足部１３００は、ユーザの快適さを最大限にするために、非円形の形状、例えば、限定されないが、長円形、矩形、楕円形、又は他のいずれかの適切な形状を有する。
【００８４】
上記で使用される「しっかりと保持される」、「装着する」、「取り付ける」、「接続される」、「固定される」などの用語は、互換的に使用される。加えて、特定の実施形態は、第２の要素に「結合した」（又は「取り付けられた」、「接続した」、「固定された」等）第１の要素を含むものとして説明されているが、第１の要素は、第２の要素に直接結合することもでき、又は第３の要素を介して第２の要素に間接的に結合することもできる。
【００８５】
前述の説明は、当業者が本明細書で説明される種々の態様を実施することを可能にするために提供される。これらの態様に対する種々の修正は、当業者には容易に明らかになり、本明細書で定義される包括的な原理は、他の態様に適用することができる。従って、特許請求の範囲は、本明細書で示される態様を限定することを意図したものではなく、特許請求の範囲の文言と矛盾しない全範囲と一致することを意図したものであり、ここで単数形の要素に対する言及は、特段の断りのない限り「１つかつ唯一」を意味するものではなく、むしろ「１つ以上」を意味する。特に断りのない限り、「いくつか」という用語は１つ以上を指す。
前述の説明全体を通じて説明された種々の態様の要素に対する当業者に知られた又は後で知られることになる全ての構造的及び機能的均等物は、引用により本明細書に明確に組み入れられ、特許請求の範囲に包含されることが意図される。さらに、本明細書で開示されたいかなるものも、そのような開示が特許請求の範囲に明示的に示されているか否かを問わず、公有に供されることを意図しない。
請求項の要素はいずれも、その要素が「 ．．．のための手段」という語句を用いて明確に示されていない限り、手段と機能との組合せ（ミーンズ・プラス・ファンクション）と解釈すべきではない。
【００８６】
開示されるプロセスにおけるステップの特定の順序又は階層は例示的な手法の一例であることが理解される。設計的選択に基づいて、プロセス内のステップの特定の順序又は階層を前述の説明の範囲内にとどめたままで再配置することができる。添付の方法の請求項は、種々のステップの要素を例示的な順序で提示したものであり、提示された特定の順序又は階層に限定されることを意味しない。
【００８７】
開示された実装の前述の説明は、当業者が開示された主題を作ること又は使用することを可能にするために提供される。これらの実装に対する種々の修正は、当業者には容易に明らかになり、本明細書で定義される包括的な原理は、前述の説明の真意又は範囲から逸脱することなく他の実装に適用することができる。それゆえ、前述の説明は、本明細書で示される実装を限定することを意図したものではなく、本明細書で開示される原理及び新規特徴と矛盾しない最も広い範囲と一致することを意図したものである。
【符号の説明】
【００８８】
１００：ヒト頭部
１０２：側頭筋膜
２００、３００：多点ヘッドセット
２０２、１０００、１２０２、１３００：装着足部
２０４：前方フレーム
２０６：後方フレーム
２０８：側方フレーム
２１０：上部ストラップ
３０２：プローブマウント
３０４：側頭窓
３５０：眼用デバイス
４００、５００：パッド付ヘッドセット
４０２、５０２、１００３：パディング
６００、７００、８００：調整可能ヘッドセット
６０２、７０２、８０２、９０２：上部ストラップ
６０４、８０４、９０４：後方ストラップ
７０４：下部ストラップ
７０６：ノブ
８０６：調整可能パッド
９００：剛性ヘッドセット
９００ａ、９００ｂ：剛性ハーフフレーム
９０６：前方ストラップ
１０５０：取付機構
１００１：基部
１００２：カバー
１０５１：ボール・アンド・ピボット構造
１０５２：シャフト
１０５３：ファスナ
１０５４：ナット
１１００：ヘッドセット
１１０２、１１０４、１１０６：足部構造
１２００：ヘッドセット装着システム
１２０４：アーム
１２０６：ストラップ
【図１Ａ】
2019524249.tif 000003
【図１Ｂ】
2019524249.tif 000004
【図２】
2019524249.tif 000005
【図３Ａ】
2019524249.tif 000006
【図３Ｂ】
2019524249.tif 000007
【図３Ｃ】
2019524249.tif 000008
【図３Ｄ】
2019524249.tif 000009
【図３Ｅ】
2019524249.tif 000010
【図４Ａ】
2019524249.tif 000011
【図４Ｂ】
2019524249.tif 000012
【図５Ａ】
2019524249.tif 000013
【図５Ｂ】
2019524249.tif 000014
【図５Ｃ】
2019524249.tif 000015
【図５Ｄ】
2019524249.tif 000016
【図６Ａ】
2019524249.tif 000017
【図６Ｂ】
2019524249.tif 000018
【図７】
2019524249.tif 000019
【図８Ａ】
2019524249.tif 000020
【図８Ｂ】
2019524249.tif 000021
【図９Ａ】
2019524249.tif 000022
【図９Ｂ】
2019524249.tif 000023
【図１０】
2019524249.tif 000024
【図１１】
2019524249.tif 000025
【図１２】
2019524249.tif 000026
【図１３】
2019524249.tif 000027
【国際調査報告】
2019524249.tif 000028